(57)【要約】【課題】水面下のごく浅い深度から深い深度に亘って赤色を補正することができるカメラ用フィルターユニットを提供すること。【解決手段】本発明では、カメラのレンズに装着して用いられ、光が偏光作用を受ける外側偏光フィルターと、前記外側偏光フィルターを経過した光が再び偏光作用を受ける内側偏光フィルターとを備え、前記内側偏光フィルターを経過した光を用いて被写体や背景の見え方に変化を与えるカメラ用フィルターユニットにおいて、前記外側偏光フィルターは、青色側波長域の光を選択的に吸収する選択吸収性を有し且つ前記選択吸収性が特定の振動方向の光に対して強くなる異方吸収性を有する赤色偏光板を有し、前記内側偏光フィルターは、青色側波長域から赤色側波長域の光を吸収する広域吸収性を有し且つ前記広域吸収性が特定の振動方向の光に対して強くなる異方吸収性を有するグレー色偏光板を有するようにした。【選択図】  図４
2018205466.tif 000002
【特許請求の範囲】
【請求項１】
カメラのレンズに装着して用いられ、光が偏光作用を受ける外側偏光フィルターと、前記外側偏光フィルターを経過した光が再び偏光作用を受ける内側偏光フィルターとを備え、前記内側偏光フィルターを経過した光を用いて被写体や背景の見え方に変化を与えるカメラ用フィルターユニットにおいて、
前記外側偏光フィルターは、青色側波長域の光を選択的に吸収する選択吸収性を有し且つ前記選択吸収性が特定の振動方向の光に対して強くなる異方吸収性を有する赤色偏光板を有し、
前記内側偏光フィルターは、青色側波長域から赤色側波長域の光を吸収する広域吸収性を有し且つ前記広域吸収性が特定の振動方向の光に対して強くなる異方吸収性を有するグレー色偏光板を有することを特徴とするカメラ用フィルターユニット。
【請求項２】
前記外側偏光フィルターの赤色偏光板は、前記選択吸収性及び異方吸収性を有する第一の二色性色素を用いて構成され、
前記内側偏光フィルターのグレー色偏光板は、前記広域吸収性及び異方吸収性を有する第二の二色性色素を用いて構成されることを特徴とする請求項１に記載のカメラ用フィルターユニット。
【請求項３】
前記赤色偏光板と前記グレー色偏光板は、いずれも円形状に形成され、
前記外側偏光フィルターは、
前記赤色偏光板の円周部に取付けられる赤色偏光板装着リングと、
前記赤色偏光板装着リングを前記赤色偏光板の円周方向に回転可能に保持する赤色偏光板装着フレームとを有し、
前記内側偏光フィルターは、
前記グレー色偏光板の円周部に取付けられるグレー色偏光板装着リングと、
前記グレー色偏光板装着リングを不動に保持するグレー色偏光板フレームとを有し、
前記赤色偏光板装着フレーム及びグレー色偏光板フレームは、互いに同心状に配置されて回転されることにより互いに着脱するバヨネット着脱機構を構成することを特徴とする請求項１又は請求項２に記載のカメラ用フィルターユニット。
【請求項４】
前記赤色偏光板と前記グレー色偏光板は、いずれも円形状に形成され、
前記外側偏光フィルターは、
前記赤色偏光板の円周部に取付けられる赤色偏光板装着リングと、
前記赤色偏光板装着リングを保持する赤色偏光板装着フレームとを有し、
前記内側偏光フィルターは、
前記グレー色偏光板の円周部に取付けられるグレー色偏光板装着リングと、
前記グレー色偏光板装着リングを保持するグレー色偏光板フレームとを有し、
前記赤色偏光板装着フレームは、操作力を受けて前記赤色偏光板の面内中心方向に移動し且つ復元力により元の位置に戻るフックオス部を有し、
前記グレー色偏光板フレームは、前記赤色偏光板装着フレームのフックオス部が元の位置に戻った状態で前記フックオス部と係り合い、前記フックオス部が前記赤色偏光板の面内中心方向に移動した状態で前記フックオス部との係り合いが解除されるフックメス部を有し、
前記赤色偏光板装着フレームのフックオス部が前記グレー色偏光板フレームのフックメス部に係り合った状態で、前記赤色偏光板装着フレームと前記グレー色偏光板装着フレームが互いに前記赤色偏光板の円周方向に回転可能に連結されることを特徴とする請求項１又は請求項２に記載のカメラ用フィルターユニット。
【請求項５】
前記外側偏光フィルターの赤色偏光板と前記内側偏光フィルターのグレー色偏光板とで形成される隙間に水が浸入しうる導水経路が形成されることを特徴とする請求項３又は請求項４に記載のカメラ用フィルターユニット。
【請求項６】
水中で動作可能な水中用カメラのレンズに装着して用いられることを特徴とする請求項１乃至請求項５の何れか１項に記載のカメラ用フィルターユニット。
【発明の詳細な説明】
【技術分野】
【０００１】
本発明は、偏光作用の重ね合わせを利用して被写体や背景の見え方に変化を与えるカメラ用フィルターユニットに関する。
【背景技術】
【０００２】
従来、カメラ用フィルターユニットとしては、被写体や背景の特定色の濃淡を調節することを目的とし、赤色偏光板と無色偏光板を同心状に対向配置させるとともに赤色偏光板と無色偏光板を同心軸周りに回転させて両偏光板の偏光軸を直交ないし平行とすることにより、両偏光板の透過光を濃い赤色から淡い赤色に変化させるようにしたものが提案されている（特許文献１）。
【先行技術文献】
【特許文献】
【０００３】
【特許文献１】実開昭５１-１６１８１６号公報
【発明の概要】
【発明が解決しようとする課題】
【０００４】
例えば海中の写真は、被写体や背景の見え方が陸上での実際の見え方と異なり、青味の強い色になる。水面から深くなるほど赤色側波長域の光が吸収され減少していくためである。
以下、５５０ｎｍよりも長波長側を赤色側波長域とし、５５０ｎｍよりも短波長側を青色側波長域とする。
【０００５】
被写体や背景の見え方を陸上での実際の見え方と同様に色鮮やかなものとするためには、赤色の補正が必要となる。また、多様な水中撮影に対応できるよう、水面下のごく浅い深度から深い深度に亘って当該補正が可能であることが望まれる。
【０００６】
特許文献１のカメラ用フィルターユニットは、偏光板の透過光を濃い赤色から淡い赤色に変化させるものである。
しかしながら、特許文献１のカメラ用フィルターユニットは、両偏光板の偏光軸を直交ないし平行とすることにより、両偏光板の透過光を濃い赤色から淡い赤色に変化させる具体的な構成が明らかでなく、水面下のごく浅い深度から深い深度に亘って赤色の補正を確実に行えるか否かは不明である。
【０００７】
本発明は上記事情に鑑みてなされたもので、水面下のごく浅い深度から深い深度に亘って赤色を補正することができるカメラ用フィルターユニットを提供することを課題とする。
【課題を解決するための手段】
【０００８】
上述した目的を達成するため、請求項１に記載の発明にあっては、カメラのレンズに装着して用いられ、光が偏光作用を受ける外側偏光フィルターと前記偏光が偏光作用を受ける内側偏光フィルターとを備え、前記内側偏光フィルターを経過した偏光を用いて被写体や背景の見え方に変化を与えるカメラ用フィルターユニットにおいて、前記外側偏光フィルターは、入射光のうち青色側波長域の光を選択的に吸収し、入射光から特定の振動方向に偏った赤色偏光を作り出す赤色偏光板を有し、前記内側偏光フィルターは、前記赤色偏光に対し、前記赤色偏光の振動方向に応じて異なる吸収率を示すグレー色偏光板を有することを特徴とする。
【０００９】
「偏光軸」
はじめに偏光軸について定義する。偏光軸は、直線偏光を入射させたときに最も透過率が大きくなる偏光板の仮想軸をいう。
【００１０】
請求項１に記載のカメラ用フィルターユニットにおいては、被写体の反射光は、外側偏光フィルターの赤色偏光板、内側偏光フィルターのグレー色偏光板、レンズの順で透過し、カメラに取り込まれて被写体の写真が形成される。
【００１１】
被写体で反射した光は、先ず外側偏光フィルターの赤色偏光板に入射する。赤色偏光板に入射した光は、赤色偏光板によって青色側波長域の光が選択的に吸収され、特定の振動方向に偏った赤色偏光となる。
【００１２】
赤色偏光板によって作り出された赤色偏光は、内側偏光フィルターのグレー色偏光板に入射する。グレー色偏光板に入射した赤色偏光は、その電場の振動方向に応じて異なる吸収率でグレー色偏光板に吸収される。
【００１３】
従って、例えば赤色偏光板を回転させると、グレー色偏光板によって吸収される赤色偏光の吸収率が外側偏光フィルター及び内側偏光フィルターの両偏光軸の交わり角度に応じて無段階に変更され、グレー色偏光板を通過する光の赤色の濃淡が無段階に変化する。
【００１４】
請求項２に記載の発明は、請求項１に記載の構成に加え、前記赤色偏光板と前記グレー色偏光板は、いずれも特定の波長域の光を選択的に吸収する選択吸収性を有し且つ前記選択吸収性が特定の振動方向の光に対して強くなる二色性色素を用いて構成されることを特徴とする。
【００１５】
請求項２に記載のカメラ用フィルターユニットに用いられる第一の二色性色素は、４００ｎｍ〜５５０ｎｍの波長を有する青色側波長域の光よりも５５０ｎｍ〜７５０ｎｍの波長を有する赤色側波長域の光を強く吸収する選択吸収性を有し且つこの選択吸収性が特定の振動方向の光に対して強くなるものであれば適用できる。尚、第二の二色性色素は、ヨウ素を含むものであることが好ましい。
【００１６】
請求項３に記載の発明は、請求項１又は請求項２に記載の構成に加え、前記赤色偏光板と前記グレー色偏光板は、いずれも円形状に形成され、前記外側偏光フィルターは、前記赤色偏光板の円周部に取付けられる赤色偏光板装着リングと、前記赤色偏光板装着リングを前記赤色偏光板の円周方向に回転可能に保持する赤色偏光板装着フレームとを有し、前記内側偏光フィルターは、前記グレー色偏光板の円周部に取付けられるグレー色偏光板装着リングと、前記グレー色偏光板装着リングを不動に保持するグレー色偏光板フレームとを有し、前記赤色偏光板装着フレーム及びグレー色偏光板フレームは、互いに同心状に配置されて回転されることにより互いに着脱するバヨネット着脱機構を構成することを特徴とする。
【００１７】
請求項３に記載のカメラ用フィルターユニットは、赤色偏光板を保持した赤色偏光板装着リングがその円周方向に回転可能に保持されているため、赤色偏光板装着リングの回転の操作量に応じて、光の赤色の濃淡を無段階に変更できる。
【００１８】
また、請求項３に記載のカメラ用フィルターユニットにおいて、赤色偏光板装着フレーム及びグレー色偏光板フレームは、互いに同心状に配置されて回転されることにより互いに着脱するため、外側偏光フィルター及び内側偏光フィルターの互いの着脱に際し、ネジやその他の部品の細かな操作を必要としない。
【００１９】
請求項４に記載の発明は、請求項１又は請求項２に記載の構成に加え、前記赤色偏光板と前記グレー色偏光板は、いずれも円形状に形成され、前記外側偏光フィルターは、前記赤色偏光板の円周部に取付けられる赤色偏光板装着リングと、前記赤色偏光板装着リングを保持する赤色偏光板装着フレームとを有し、前記内側偏光フィルターは、前記グレー色偏光板の円周部に取付けられるグレー色偏光板装着リングと、前記グレー色偏光板装着リングを保持するグレー色偏光板フレームとを有し、前記赤色偏光板装着フレームは、操作力を受けて前記赤色偏光板の面内中心方向に移動し且つ復元力により元の位置に戻るフックオス部を有し、前記グレー色偏光板フレームは、前記赤色偏光板装着フレームのフックオス部が元の位置に戻った状態で前記フックオス部と係り合い、フックオス部が前記赤色偏光板の面内中心方向に移動した状態で前記フックオス部との係り合いが解除されるフックメス部を有し、前記赤色偏光板装着フレームのフックオス部が前記グレー色偏光板フレームのフックメス部に係り合った状態で、前記赤色偏光板装着フレームと前記グレー色偏光板装着フレームが互いに前記赤色偏光板の円周方向に回転可能に連結されることを特徴とする。
【００２０】
請求項４に記載のカメラ用フィルターユニットにおいて、赤色偏光板装着フレームのフックオス部とグレー色偏光板フレームのフックメス部が互いに係り合った状態で、赤色偏光板装着フレームとグレー色偏光板装着フレームが互いに赤色偏光板の円周方向に回転可能に連結される。
【００２１】
従って、赤色偏光板装着フレームの回転操作を通じて赤色偏光板がその円周方向に回転し、赤色偏光板装着フレームの回転の操作量に応じ、赤色偏光板の偏光軸とグレー色偏光板の偏光軸の互いの交わり角度が無段階で変化し、光の赤色の濃淡が無段階に変化する。
【００２２】
また、赤色偏光板装着フレームのフックオス部とグレー色偏光板フレームのフックメス部の互いの係り合いは、操作力を受けて赤色偏光板の面内中心方向に移動し且つ復元力により元の位置に戻るフックオス部により行われ、ネジやその他の部品の細かな操作を必要としない。
【００２３】
請求項５に記載の発明は、請求項３又は請求項４に記載の構成に加え、前記外側偏光フィルターの赤色偏光板と前記内側偏光フィルターのグレー色偏光板とで形成される隙間に水が浸入しうる導水経路が形成されることを特徴とする。
【００２４】
請求項５に記載のカメラ用フィルターユニットは、上記導水経路を有するため、カメラ用フィルターユニットを水中に沈めると、赤色偏光板とグレー色偏光板とで形成される隙間の空気が水中に排出され当該隙間が水で満たされる。また、赤色偏光板とグレー色偏光板とで形成される隙間と外部は連通しているため、カメラ用フィルターユニットが使用される水中の深度に関わらず、当該隙間と外部の水圧差が常に一定に保たれる。なお、水中での使用後には、導水経路を通って赤色偏光板とグレー色偏光板とで形成される隙間を満たしていた水が排出される。
【００２５】
請求項６に記載の発明にあっては、請求項１乃至請求項５の何れか１項に記載の構成に加え、水中で動作可能な水中用カメラのレンズに装着して用いられることを特徴とする。
【発明の効果】
【００２６】
請求項１に記載の発明は、前記外側偏光フィルターは、入射光のうち青色側波長域の光を選択的に吸収し、入射光から特定の振動方向に偏った赤色偏光を作り出す赤色偏光板を有し、前記内側偏光フィルターは、前記赤色偏光に対し、前記赤色偏光の振動方向に応じて異なる吸収率を示すグレー色偏光板を有する。
【００２７】
このため、例えば赤色偏光板を回転させると、グレー色偏光板によって吸収される赤色偏光の吸収率が外側偏光フィルター及び内側偏光フィルターの両偏光軸の交わり角度に応じて無段階に変更され、グレー色偏光板を通過する光の赤色の濃淡が無段階に変化する。
【００２８】
従って、水面下のごく浅い深度から深い深度に亘って赤色を補正することができるようになる。従って、海中で撮影した写真に対し、陸上で撮影した写真と同様の色鮮やかさを再現できる。
【００２９】
請求項２に記載の発明は、前記赤色偏光板と前記グレー色偏光板が、いずれも特定の波長域の光を選択的に吸収する選択吸収性を有し且つ前記選択吸収性が特定の振動方向の光に対して強くなる二色性色素を用いて構成されるため、請求項１の効果を確実に得ることができる。
【００３０】
請求項３に記載の発明は、請求項１又は請求項２の構成に加え、赤色偏光板がその円周方向に回転可能に保持される構成を有するため、外側偏光フィルターの回転の操作量に応じ、光の赤色の濃淡が無段階に変更する。
従って、請求項１又は請求項２の効果を容易に得ることができる。操作の容易性は、陸上に比べて手元の操作が困難な水中での使用にあっては特に重要になる。
【００３１】
また、カメラ用フィルターユニットを水中で使用する場合は、例えば赤色偏光板やグレー色偏光板に作用する水圧による変形・破損を回避するため、赤色偏光板とグレー色偏光板とで形成される隙間を水で満たす必要がある。従って、水中での赤色偏光板装着リングとグレー色偏光板装着リングの互いの着脱操作が望まれる。
【００３２】
請求項３に記載の発明は、赤色偏光板装着フレーム及びグレー色偏光板フレームは、互いに同心状に配置されて回転されることにより互いに着脱するように構成されるため、外側偏光フィルター及び内側偏光フィルターの互いの着脱に際し、ネジやその他の部品の細かな操作を必要としない。
従って、手元の操作が困難な水中での使用において部品の脱落・紛失を防止できる。また、両フィルターの互いの着脱に際し、金属製の部品を必要としないため、特にカメラ用フィルターユニットの海中での使用における耐腐食性に優れる。
【００３３】
請求項４に記載の発明は、請求項２又は請求項３の構成に加え、赤色偏光板装着フレームの回転操作を通じて赤色偏光板がその円周方向に回転する構成を備えているため、赤色偏光板装着フレームの回転の操作量に応じ、光の赤色の濃淡が無段階に変化する。
従って、請求項１又は請求項２の効果を容易に得ることができる。操作の容易性は、陸上に比べて手元の操作が困難な水中での使用にあっては特に重要になる。
【００３４】
また、請求項４に記載の発明において、赤色偏光板装着フレームとグレー色偏光板フレームの互いの係り合いは、操作力を受けて赤色偏光板の面内中心方向に移動し且つ復元力により元の位置に戻るフックオス部により行われ、ネジやその他の部品の細かな操作を必要としない。従って、請求項１又は請求項２の効果を更に容易に得ることができる。
【００３５】
請求項５に記載の発明は、請求項３又は請求項４に記載の構成に加え、前記外側偏光フィルターの赤色偏光板と前記内側偏光フィルターのグレー色偏光板とで形成される空間に水が浸入しうる導水経路を有する。
このため、カメラ用フィルターユニットを水中に沈めると、赤色偏光板とグレー色偏光板とで形成される隙間の空気が水中に排出され当該隙間が水で満たされる。また、赤色偏光板とグレー色偏光板とで形成される隙間と外部は連通しているため、カメラ用フィルターユニットが使用される水中の深度に関わらず、当該隙間と外部の水圧差が常に一定に保たれる。
従って、請求項３又は請求項４に記載の効果に加え、カメラ用フィルターユニットが使用される水中の深度に関わらず、水圧に基づく赤色偏光板やグレー色偏光板の偏光板面の歪みを回避でき、以って赤色補正を良好に行えるようになる。
【００３６】
請求項６に記載の発明によれば、水中用カメラを用いた撮影において、水面下のごく浅い深度から深い深度に亘って赤色を補正することができる。
【図面の簡単な説明】
【００３７】
【図１】図１は本発明に係るカメラ用フィルターユニットの第１実施形態を示す図であり、図１（ａ）は外側偏光フィルターと内側偏光フィルターを組み付けた状態及びレンズ鏡筒との関係を示す図であり、図１（ｂ）は外側偏光フィルターと内側偏光フィルターを分離した状態を示す図である。
【図２】図２は本発明に係るカメラ用フィルターユニットの第１実施形態を示す図であり、図２（ａ）は赤色偏光板の構成模式図であり、図２（ｂ）はグレー色偏光板の構成模式図である。
【図３】図３は本発明に係るカメラ用フィルターユニットの第１実施形態を示す図であり、図３（ａ）はカメラ用フィルターユニットの側面図であり、図３（ｂ）は図３（ａ）のＸ方向視の図であり、図３（ｃ）は図３（ａ）のＹ方向視の図である。
【図４】図４は本発明に係るカメラ用フィルターユニットの第１実施形態を示す図であり、図４（ａ）は図３（ｂ）のＡ-Ａ線断面図であり、図４（ｂ）は図３（ｂ）のＢ-Ｂ線断面図であり、図４（ｃ）は図４（ａ）のＣ部拡大図である。
【図５】図５は本発明に係るカメラ用フィルターユニットの第２実施形態を示す図であり、図５（ａ）はカメラ用フィルターユニットの側面図であり、図５（ｂ）は図５（ａ）のＸ方向視の図であり、図５（ｃ）は図５（ａ）のＹ方向視の図である。
【図６】図６は本発明に係るカメラ用フィルターユニットの第２実施形態を示す図であり、図６（ａ）は図５（ｂ）のＡ-Ｂ線断面図及びＢ-Ｃ断面図であり、図６（ｂ）は図６（ａ）のＤ部拡大図である。
【発明を実施するための形態】
【００３８】
＜第１実施形態＞
添付図面を参照して、本発明に係るカメラ用フィルターユニットを実施形態に基づき詳細に説明する。
【００３９】
本実施形態のカメラ用フィルターユニットは、偏光作用の重ね合わせを利用して被写体や背景の見え方に変化を与えるカメラ用フィルターユニットである。
【００４０】
図１（ａ）及び（ｂ）に示すように、本実施形態のカメラ用フィルターユニット１０は、水中用カメラ５０のレンズ５１に装着して用いられ、光が最初に偏光作用を受ける赤色偏光板１３を有する外側偏光フィルター１１と、外側偏光フィルター１１の赤色偏光板１３を経過した光が再び偏光作用を受けるグレー色偏光板１４を有する内側偏光フィルター１２とを備えている。
従って、被写体の反射光は、赤色偏光板１３、グレー色偏光板１４、レンズ５１の順で経過して水中用カメラ５０に取り込まれ、偏光作用の重ね合わせを利用した被写体の写真が形成される。
【００４１】
内側偏光フィルター１２とレンズ鏡筒５２との着脱は、回転の操作によって互いの固定とその解除が行われるバヨネット機構により行われる。
【００４２】
赤色偏光板１３は、正面視円形状に形成されており、図２（ａ）に示すように、透明樹脂製の基材を第一の二色性色素を用いて染色した赤色偏光フィルム１７と、この赤色偏光フィルム１７を挟み込む２枚の透明ガラス製の外側透明板１８とを用いて構成されている。赤色偏光フィルム１７と外側透明板１８は、光学用接着剤１６により互いに貼り合わされている。
【００４３】
第一の二色性色素は、青色側波長域の光を選択的に吸収する選択吸収性を有し且つこの選択吸収性が特定の振動方向の光に対して強くなる異方吸収性を有するものである。
【００４４】
グレー色偏光板１４は、赤色偏光板１３と同様に正面視円形状に形成されており、図２（ｂ）に示すように、透明樹脂製の基材を第二の二色性色素を用いて染色したグレー色偏光フィルム２１と、このグレー色偏光フィルム２１を挟み込む２枚の透明ガラス製の内側透明板２２とを用いて構成されている。グレー色偏光フィルム２１と内側透明板２２は、光学用接着剤１６により互いに貼り合わされている。
【００４５】
第二の二色性色素は、青色側波長域から赤色側波長域の光を吸収する広域吸収性を有し、この広域吸収性が特定の振動方向の光に対して強くなる異方吸収性を有するものである。
【００４６】
図３（ａ）はカメラ用フィルターユニット１０の側面図であり、図３（ｂ）は図３（ａ）のＸ方向視の図であり、図３（ｃ）は図３（ａ）のＹ方向視の図である。また、図４（ａ）は図３（ｂ）のＡ-Ａ線断面図であり、図４（ｂ）は図３（ｂ）のＢ-Ｂ線断面図であり、図４（ｃ）は図４（ａ）のＣ部拡大図である。
【００４７】
外側偏光フィルター１１は、図３及び図４に示すように、赤色偏光板１３の円周部に取付けられる合成樹脂製の赤色偏光板装着リング２４と、この赤色偏光板装着リング２４を赤色偏光板１３の円周方向に回転可能に保持する合成樹脂製の赤色偏光板装着フレーム２６とを有している。
【００４８】
赤色偏光板装着リング２４は、図４（ａ）及び（ｂ）に示すように、光の入射方向４０と反対方向に向かって開口面が拡大するように形状が設定されケラレ防止が図られている。
【００４９】
赤色偏光板装着リング２４と赤色偏光板装着フレーム２６は、赤色偏光板装着リング２４の回転時に触れられる操作部２９を残して、部分的に重なり合うように取り付けられている。
【００５０】
赤色偏光板装着リング２４と赤色偏光板装着フレーム２６は、互いに摺動しながら回転できるように相互に係止されている。符号２８は、赤色偏光板装着リング２４に赤色偏光板１３を固定するための押さえ環である。
【００５１】
内側偏光フィルター１２は、図３及び図４に示すように、グレー色偏光板１４の円周部に取付けられる合成樹脂製のグレー色偏光板装着リング２５と、このグレー色偏光板装着リング２５を回転規制して不動に保持する合成樹脂製のグレー色偏光板フレーム２７とを有している。
グレー色偏光板装着リング２５とグレー色偏光板装着フレーム２７は、部分的に重なり合うように取り付けられている。
【００５２】
赤色偏光板装着フレーム２６及びグレー色偏光板フレーム２７は、互いに同心状に配置されて回転されることにより互いに着脱するバヨネット着脱機構となっている。
【００５３】
図４（ｃ）に示すように、赤色偏光板１３とグレー色偏光板１４とで形成される隙間３６に水が浸入しうる導水経路３４（３０、３１、３２、３３）が形成されている。
【００５４】
導水経路３４は、図１（ｂ）及び図３（ｃ）に示すように、グレー色偏光板フレーム２７に設けられた細長穴３５から取り込まれた水が、導水経路３３→導水経路３２→導水経路３１→導水経路３０に向かって流れ込むようになっている。
【００５５】
次にカメラ用フィルターユニット１０の使用方法および効果を説明する。
例えば海中での撮影に際しては、海中で赤色偏光板装着フレーム２６とグレー色偏光板フレーム２７を互いに回転させて、外側偏光フィルター１１と内側偏光フィルター１２を分離させ、赤色偏光板１３とグレー色偏光板１４とで形成される隙間３６を海水で満たす。
【００５６】
これにより、水圧に基づく赤色偏光板やグレー色偏光板の偏光板面の歪みを回避でき、以って赤色補正を良好に行えるようになる。外側偏光フィルター１１と内側偏光フィルター１２の分離は、互いに回転させるだけで行われる。
【００５７】
また、カメラ用フィルターユニット１０に上記の隙間３６に水を案内する導水経路３４が設けられており、常に隙間３６に海水が案内されるようになっている。つまり、隙間３６と外部の環境との水圧差は自動的に常に平衡調節されており、赤色偏光板１３やグレー色偏光板１４の偏光板面の歪みが常に抑えられている。
【００５８】
海中の写真は、被写体や背景の見え方が陸上での実際の見え方と異なり、青味の強い色になる。水面から深くなるほど赤色側波長域の光が吸収され減少していくためである。そこで、陸上で撮影した写真と同様の色鮮やかさが再現できるように、水中用カメラ５０のレンズ５１に入射する光の赤色の濃淡を補正する。
【００５９】
赤色の濃淡を補正するため、カメラ用フィルターユニット１０の操作部２９を操作し、赤色偏光板装着リング２４を赤色偏光板１３の周方向に回転させ、外側偏光フィルター１１側の赤色偏光板１３と内側偏光フィルター１２側のグレー色偏光板１４の両偏光軸の交わり角度を変化させる。
【００６０】
回転は無段階に可能であり、赤色偏光板１３の偏光軸とグレー色偏光板１４の両偏光軸の交わり角度は無段階で変化させることができる。両偏光軸の交わり角度に応じ、光が持つ赤色が濃い赤色から無色に近い薄い赤色に変化する。従って、海中の水面直下から深い深度に亘って、赤色を補正することができる。
【００６１】
＜第２実施形態＞
本実施形態のカメラ用フィルターユニットは、赤色偏光板及びグレー色偏光板を保持する構成部分を変更した例であり、第１実施形態のカメラ用フィルターユニットと同様の構成については、同一の符号を付して説明を省略する。
【００６２】
図５（ａ）はカメラ用フィルターユニットの側面図であり、図５（ｂ）は図５（ａ）のＸ方向視の図であり、図５（ｃ）は図５（ａ）のＹ方向視の図である。図６は本発明に係るカメラ用フィルターユニットの第２実施形態を示す図であり、図６（ａ）は図５（ｂ）のＡ-Ｂ線断面図及びＢ-Ｃ断面図であり、図６（ｂ）は図６（ａ）のＤ部拡大図である。
【００６３】
本実施形態のカメラ用フィルターユニット６０の外側偏光フィルター６１は、図５及び図６に示すように、赤色偏光板１３の円周部に取付けられる合成樹脂製の赤色偏光板装着リング６３と、この赤色偏光板装着リング６３を赤色偏光板１３を回転しないように保持する合成樹脂製の赤色偏光板装着フレーム６４とを有している。符号２８は、赤色偏光板装着リング６３に赤色偏光板１３を固定するための押さえ環である。
【００６４】
赤色偏光板装着リング６３は、図６（ａ）及び（ｂ）に示すように、後述するフック操作つまみ８０が赤色変更板１３の回転の操作部となる。そのため、第１実施形態の赤色偏光板装着リング６３のように光の入射方向４０の反対側に向かって張り出す操作部２９を必要としない。
従って、第１実施形態の赤色偏光板装着リング６３と比較し、光の入射方向４０方向に薄い寸法を設定でき、これにより、ケラレ防止を図る必要もない構成となっている。
【００６５】
赤色偏光板装着リング６３は、赤色偏光板装着フレーム６４により保持されている。この赤色偏光板装着フレーム６４は、赤色偏光板装着リング６３の回転時に触れられるフック操作つまみ８０を有している。
【００６６】
フック操作つまみ８０は、図６（ｂ）に示すように、使用者の操作力を受けて赤色偏光板１３の面内中心方向である可動方向８３の上下に移動しうるフックオス部８１を有している。このフックオス部８１は、図示しないバネの復元力によって操作力を受ける前の元の位置に戻るようになっている。
【００６７】
赤色偏光板装着リング６３と赤色偏光板装着フレーム６４は、第１実施形態と異なり互いの回転は規制され相互に不動に取り付けられている。
【００６８】
内側偏光フィルター６２は、図５及び図６に示すように、グレー色偏光板１４の円周部に取付けられる合成樹脂製のグレー色偏光板装着リング６５と、このグレー色偏光板装着リング６５を回転規制して不動に保持する合成樹脂製のグレー色偏光板フレーム６６とを有している。
【００６９】
グレー色偏光板装着リング６５は、グレー色偏光板装着フレーム６６により保持されている。このグレー色偏光板装着フレーム６６は、フック操作つまみ８０のフックオス部８１と係り合うフックメス部８２を有している。
【００７０】
フックメス部８１は、グレー色偏光板装着フレーム６６内側の樹脂部材が断面略コの字状に形状設定されることにより設けられている。フックメス部８１は、赤色偏光板装着フレーム６４のフックオス部８１が図６（ｂ）に示す可動方向８３の上向きに移動して元の位置に戻った状態でフックオス部８１と係り合い、赤色偏光板装着フレーム６４とグレー色偏光板装着フレーム６６が互いに連結する。
また、フックメス部８１は、フックオス部８１が可動方向８３の下向きに移動した状態でフックオス部８１との係り合いが解除され、赤色偏光板装着フレーム６４とグレー色偏光板装着フレーム６６が互いに分離する。
【００７１】
赤色偏光板装着フレーム６４とグレー色偏光板装着フレーム６６の互いの連結時圧着力は、回転の操作を受けて赤色偏光板装着フレーム６４の回転を可能としつつ、回転の操作を受けない限り、赤色偏光板装着フレーム６４の所望の回転位置を保つことができる程度に調節されている。
【００７２】
図６（ｂ）に示すように、赤色偏光板１３とグレー色偏光板１４とで形成される隙間３６に水が浸入しうる導水経路７５（７１、７２、７３、７４）が形成されている。
【００７３】
導水経路７５は、図５（ｂ）に示すように、赤色偏光板装着リング６３に設けられた細長穴７６から取り込まれた水が、導水経路７１→導水経路７２→導水経路７３→導水経路７４に向かって流れ込むようになっている。
【００７４】
次にカメラ用フィルターユニット６０の使用方法および効果を説明する。
例えば海中での撮影に際しては、海中で図５に示す赤色偏光板装着フレーム６４とグレー色偏光板フレーム６６を互いに回転させて、外側偏光フィルター６１と内側偏光フィルター６２を分離させ、図６（ｂ）に示す赤色偏光板１３とグレー色偏光板１４とで形成される隙間３６を海水で満たす。
【００７５】
これにより、水圧に基づく赤色偏光板やグレー色偏光板の偏光板面の歪みを回避でき、以って赤色補正を良好に行えるようになる。外側偏光フィルター６１と内側偏光フィルター６２の分離は、フック操作つまみ８０を押下して図６（ｂ）に示す可動方向８３に移動させるだけで行われる。
【００７６】
また、カメラ用フィルターユニット１０に上記の隙間３６に水を案内する導水経路７５が設けられており、常に隙間３６に海水が案内されるようになっている。つまり、隙間３６と外部の環境との水圧差は自動的に常に平衡調節されており、赤色偏光板１３やグレー色偏光板１４の偏光板面の歪みが常に抑えられている。
【００７７】
海中の写真は、被写体や背景の見え方が陸上での実際の見え方と異なり、青味の強い色になる。水面から深くなるほど赤色側波長域の光が吸収され減少していくためである。そこで、陸上で撮影した写真と同様の色鮮やかさが再現できるように、図１に示す水中用カメラ５０のレンズ５１に入射する光の赤色の濃淡を補正する。
【００７８】
赤色の濃淡を補正するため、例えば赤色偏光板１３の面外方向に突出したフック操作つまみ８０を利用し、赤色偏光板装着フレーム６４を赤色偏光板１３の周方向に回転させ、外側偏光フィルター６１側の赤色偏光板１３と内側偏光フィルター６２側のグレー色偏光板１４の両偏光軸の交わり角度を変化させる。
【００７９】
回転は無段階に可能であり、赤色偏光板１３の偏光軸とグレー色偏光板１４の両偏光軸の交わり角度は無段階で変化させることができる。両偏光軸の交わり角度に応じ、光が持つ赤色が濃い赤色から無色に近い薄い赤色に変化する。従って、海中の水面直下から深い深度に亘って、赤色を補正することができる。
【００８０】
以上、本発明に係るカメラ用フィルターユニットを２つの実施形態に基づき説明したが、具体的な構成については、本実施形態に限られるものではなく、特許請求の範囲に記載の発明の要旨を逸脱しない限り変更や追加等は許容される。
【００８１】
例えば、赤色偏光板に用いる二色性色素は、特に限定されるものではなく、青色側波長域の光を選択的に吸収する選択吸収性を有し且つ前記選択吸収性が特定の振動方向の光に対して強くなる異方吸収性を有するものであれば適用できる。
【００８２】
また、グレー色偏光板に用いる二色性色素は、特に限定されるものではなく、青色側波長域から赤色側波長域の光を吸収する広域吸収性を有し且つ前記広域吸収性が特定の振動方向の光に対して強くなる異方吸収性を有するものであれば適用できる。
【００８３】
また、赤色偏光フィルターとグレー色偏光フィルターの互いの着脱を可能とするバヨネット着脱機構にあっては、回転の操作で互いの着脱が行われるものであればよく、フック着脱機構にあっては、互いの引っ掛けの機構を備え且つ互いの回転を可能にするものであれば、上記の具体的な構成に限られず適用できる。
【００８４】
例えば、フック着脱機構に関し、第２実施形態としてフックオス部を外側偏光フィルターに設け、フックメス部を内側偏光フィルターに設ける例を示したが、フックオス部を内側偏光フィルター側に設け、フックメス部を外側偏光フィルター側に設けるようにしてもよい。
【産業上の利用可能性】
【００８５】
本発明に係るカメラ用フィルターユニットは、水中用カメラのほか、水中用でないカメラに対しても適用でき、また、写真を生成するカメラのほか、動画を生成するビデオカメラに対しても適用できる。
【符号の説明】
【００８６】
１０  カメラ用フィルターユニット
１１  外側偏光フィルター
１２  内側偏光フィルター
１３  赤色偏光板
１４  グレー色偏光板
１６  光学用接着剤
１７  赤色偏光フィルム
１８  外側透明板
２１  グレー色偏光フィルム
２２  内側透明板
２４  赤色偏光板装着リング
２５  グレー色偏光板装着リング
２６  赤色偏光板装着フレーム
２７  グレー色偏光板フレーム
２８  押さえ環
２９  操作部
３０  導水経路の一部
３１  導水経路の一部
３２  導水経路の一部
３３  導水経路の一部
３４  導水経路
３５  細長穴
３６  隙間
４０  光の入射方向
５０  水中用カメラ
５１  レンズ
５２  レンズ鏡筒
６０  カメラ用フィルターユニット
６１  外側偏光フィルター
６２  内側偏光フィルター
６３  赤色偏光板装着リング
６４  赤色偏光板装着フレーム
６５  グレー色偏光板装着リング
６６  グレー色偏光板フレーム
６７  押さえ環
７１  導水経路の一部
７２  導水経路の一部
７３  導水経路の一部
７４  導水経路の一部
７５  導水経路
７６  細長穴
８０  フック操作つまみ
８１  フックオス部
８２  フックメス部
８３  可動方向
【図１】
2018205466.tif 000003
【図２】
2018205466.tif 000004
【図３】
2018205466.tif 000005
【図４】
2018205466.tif 000006
【図５】
2018205466.tif 000007
【図６】
2018205466.tif 000008